(57)【特許請求の範囲】
【請求項１】
電子機器を固定部に取り付けるための取付用ブラケットであって、電子機器が取り付けられる第１の支持板と、この第１の支持板が取り付けられ、かつ前記固定部に固定される第２の支持板とからなり、前記第２の支持板を、基板と、この基板に折曲形成された折曲部とによって形成し、前記折曲部に挿通孔を設け、前記基板の前記折曲部側の一端部にねじ孔を設けるとともに、他端部にねじ孔と挿通孔とを設け、前記第１の支持板に、前記ねじ孔に螺合する締結手段が挿通される挿通孔を有する取付片を設けたことを特徴とする取付用ブラケット。
【請求項２】
請求項１記載の取付用ブラケットにおいて、前記取付片を前記第１の支持板の幅方向に一対設け、これら取付片の挿通孔を前記第１の支持板と直交する方向に長軸を有する長穴に形成したことを特徴とする取付用ブラケット。
【請求項３】
請求項１または２記載の取付用ブラケットにおいて、前記第１の支持板に電子機器を支承する断面Ｌ字状に形成したフック部を設けるとともに、このフック部に支承された電子機器の係入部に係入および係入解除自在なストッパ部材を設け、このストッパ部材を前記第２の支持板に挿抜方向に取付位置を変えて固定可能としたことを特徴とする取付用ブラケット。
【発明の詳細な説明】
【０００１】
【発明の属する技術分野】
本発明は、電子機器を固定部に固定するための取付用ブラケットに関する。
【０００２】
【従来の技術】
例えば、タクシーの車内に設置され、顧客情報が記録された非接触型ＩＣカードを処理する非接触型ＩＣカードリーダ（以下、単にカードリーダと略称する）を取り付ける場合、カードリーダを取付用ブラケットにねじで固定し、この取付用ブラケットを車内の固定部にねじで固定していた。
【０００３】
【発明が解決しようとする課題】
しかしながら、上述した従来の取付用ブラケットを使用してカードリーダを車内の固定部にねじ止めする場合、このカードリーダを操作する運転手の近くに取り付けなければならいために、取付場所に自ずと制約がある。このため、車種によって取付場所の取付態様が異なると、これに合わせて取付用ブラケットを複数種用意しなければならず、経済性においても取付用ブラケットの在庫管理上においても不利益であった。また、カードリーダを取付用ブラケットにねじで固定しているために、カードリーダの取付け、取外しの作業が煩雑になり、保守点検時の作業性が悪いという問題もあった。
【０００４】
本発明は上記した従来の問題に鑑みなされたものであり、第１の目的は経済性においても取付用ブラケットの在庫管理上においても優れた取付用ブラケットを提供することにある。また、第２の目的は保守点検時の作業性の向上を図ることにある。
【０００５】
【課題を解決するための手段】
この目的を達成するために、請求項１に係る発明は、電子機器を固定部に取り付けるための取付用ブラケットであって、電子機器が取り付けられる第１の支持板と、この第１の支持板が取り付けられ、かつ前記固定部に固定される第２の支持板とからなり、前記第２の支持板を、基板と、この基板に折曲形成された折曲部とによって形成し、前記折曲部に挿通孔を設け、前記基板の前記折曲部側の一端部にねじ孔を設けるとともに、他端部にねじ孔と挿通孔を設け、前記第１の支持板に、前記ねじ孔に螺合する締結手段が挿通される挿通孔を有する取付片を設けたものである。
したがって、固定部の上面部には、第２の支持板の基板を介して固定され、固定部の正面部には、第２の支持板の折曲部を介して固定される。
【０００６】
また、請求項２に係る発明は、請求項１に係る発明において、前記取付片を前記第１の支持板の幅方向に一対を設け、これら取付片の挿通孔を前記第１の支持板と直交する方向に長軸を有する長穴に形成したものである。
したがって、締結手段による締結を緩め、一対の締結手段を中心として長穴の範囲内で第１の支持板を回動させることにより、第１の支持板が前記第２の支持板に対して取付角度を変えて取り付けられる。
【０００７】
また、請求項３に係る発明は、請求項１または２に係る発明において前記第１の支持板に電子機器を支承する断面Ｌ字状に形成したフック部を設けるとともに、このフック部に支承された電子機器の係入部に係入および係入解除自在なストッパ部材を設け、このストッパ部材を前記第２の支持板に挿抜方向に取付位置を変えて固定可能としたものである。
したがって、ストッパ部材を移動させて電子機器の係入部との係入を解除することにより、電子機器を上方へ移動させることが可能になり、電子機器を第１の支持部材から容易に取り外すことができる。
【０００８】
【発明の実施の形態】
以下、本発明の実施の形態を図に基づいて説明する。図１は本発明に係る取付用ブラケットを分解して示す斜視図、図２は同じく取付用ブラケットを介して固定部に取り付けられるカードリーダの外観を示し、同図（ａ）は正面から視た斜視図、同図（ｂ）は背面から視た斜視図である。図３は同じく固定部に第１の固定方法で取り付けた状態を示す斜視図、図４は同じく上面図であって、同図（ａ）はカードリーダを正面に向けた状態を示し、同図（ｂ）はカードリーダを正面から角度を付与して取り付けた状態を示す。図５は同じく固定部に第２の固定方法で取り付けた状態を示す斜視図、図６および図７は同じく固定部に第３の固定方法で取り付ける状態を示し、図６は取付用ブラケットを分解して示す斜視図、図７は固定部に取り付けた状態を示す斜視図である。
【０００９】
図１に示すように、全体を符号１で示す取付用ブラケットは、共に板金によって形成された第１の支持板２および第２の支持板３とによって構成されている。第１の支持板２は後述するように立設した状態で使用され、この第１の支持板２の幅方向の両端部には、直角に折り曲げ形成され水平方向に延在する一対の取付片２１Ａ，２１Ｂが突設されている。
【００１０】
これら取付片２１Ａ，２１Ｂのそれぞれには、取付片２１Ａ，２１Ｂの延在する方向、すなわち第１の支持板２と直交する方向（図中矢印Ａ−Ｂ方向）に長軸を有する長穴状に形成された一対の挿通孔２２Ａ，２２Ｂが設けられている。また、この第１の支持板２の上下には、前記取付片２１Ａ，２１Ｂが突設された方向と反対方向に切り起こされ、断面がＬ字状に形成された２個のフック部２４，２５が突設されている。これら２個のフック部２４，２５の間には、長方形に形成された窓２６が設けられている。
【００１１】
第２の支持板３は、基板３１と、この基板３１の一端部を直角に折曲形成された折曲部３２とによって形成されている。基板３１の４隅、すなわち基板３１の一端側の両端部には一対のねじ孔３３Ａ，３３Ａが螺設され、他端側の両端部には一対のねじ孔３３Ｂ，３３Ｂが螺設されている。上記折曲部３２の両端部には、一対の挿通孔３４Ａ，３４Ａが穿設され、基板３１の他端部のねじ孔３３Ｂ，３３Ｂに挟まれた部位には、一対の挿通孔３４Ｂ，３４Ｂが穿設されている。また、基板３１の幅方向の中央部には、矢印Ａ−Ｂ方向に互いに同じ間隔を隔てて一直線上に設けられた３個のねじ孔３５ａ，３５ｂ，３５ｃが螺設されている。
【００１２】
ストッパ部材４は平面視略Ｔ字状に形成され、幅方向の中央部に矢印Ａ−Ｂ方向に長軸を有する長穴状に形成された一対の挿通孔４１，４１が、矢印Ａ−Ｂ方向に一直線上に設けられており、矢印Ａ方向の先端部には舌片４２が突設されている。
【００１３】
図２において、５は電子機器としてのカードリーダであって、同図（ａ）に示すように、前面部には、幅方向の両端部に断面略Ｌ字状に形成された一対の案内片５１，５１によって、上部に開口５２が形成されたカード支承部５３が設けられている。このカード支承部５３には、開口５２から挿入された非接触型ＩＣカード（図示せず）が、一対の案内片５１，５１によって略立設された状態で支承される。この支承された状態でカードリーダ５に内蔵されたアンテナ基板とデータ処理部（いずれも図示せず）とによって、非接触型ＩＣカードに記録されているデータが無線を介して処理される。
【００１４】
カードリーダ５の背面部の上下には、同図（ｂ）に示すように、前記第１の支持板２のフック部２４，２５が係入される凹部５４，５５が設けられており、これらの凹部５４，５５内にフック部２４，２５が係入されることにより、カードリーダ５が第１の支持板２に支承される。カードリーダ５が第１の支持板２に支承され、後述するように、ストッパ部材４を移動させることにより、係入部としての凹部５４にストッパ部材４の舌片４２が係入される。
【００１５】
次に、図１、図３および図４を用いて、このような構成の取付用ブラケット１を介してカードリーダ５を固定部６の上面部に取り付ける第１の固定方法を説明する。
図１に示すように、ストッパ部材４の舌片４２を第１の支持板２の方向に指向させ、２本のねじ４３，４３を挿通孔４１，４１に挿通させ、ストッパ部材４が矢印Ａ−Ｂ方向に移動可能な程度に、ねじ４３，４３を第２の支持板３のねじ孔３５ａ，３５ｂに一部を螺合させて仮締めする。次いで、第１の支持板２の取付片２１の挿通孔２２Ａ，２２Ｂに挿通した締結手段としてのねじ２７，２７を、第２の支持板３のねじ孔３３Ａ，３３Ａに螺合させる。したがって、第２の支持板３が第１の支持板２と直交、すなわち水平状態となるようにして、第１の支持板２の取付片２１に取り付けられ、第１および第２の支持板２，３が一体化されることにより取付用ブラケット１が形成される。
【００１６】
このようにして形成された取付用ブラケット１の第２の支持板３の基板３１を、図３に示すように、固定部６の上面部に対接させ、ねじ６１，６１を挿通孔３４Ｂ，３４Ｂから挿通させて固定部６にねじ込むことにより、取付用ブラケット１を固定部６の上面部に固定する。次いで、カードリーダ５を第１の支持板２に沿って下方に移動させることにより、カードリーダ５の凹部５４，５５に第１の支持板２のフック部２４，２５を係入させ、フック部２４，２５によってカードリーダ５を支承させる。
【００１７】
しかる後、図４（ａ）に示すように、ストッパ部材４を、挿通孔４１，４１をねじ４３，４３によってガイドするようにして、矢印Ａ方向に移動させ、舌片４２を第１の支持板２の窓２６に挿通させ、カードリーダ５の凹部５４内に係入する。この状態で、ねじ４３，４３を第２の支持板３のねじ孔３５ａ，３５ｂにねじ込んで本締めすることにより、ストッパ部材４によってカードリーダ５が上方に移動するのが規制されるので、カードリーダ５は第１の支持部材２に上方への抜けが規制されて取り付けられる。
【００１８】
ここで、取付用ブラケット１に固定したカードリーダ５の保守点検を行う場合には、ねじ４３，４３の螺合を緩め、ストッパ部材４を矢印Ｂ方向に移動させると、ストッパ部材４の舌片４２がカードリーダ５の凹部５４との係入が解除されるので、カードリーダ５を上方に移動することにより、第１の支持板２から取り外すことができる。このように、カードリーダ５の取付け、取外しの作業をストッパ部材４の移動によって行えることにより、取付け、取外しの作業が容易になるので保守点検の作業性が向上する。
【００１９】
また、同図（ｂ）に示すように、カードリーダ５の向きを例えば角度αだけ変更したい場合には、ねじ２７，２７の螺合を緩め、一方の取付片２１Ａを、挿通孔２２Ａをねじ２７によってガイドするようにして、矢印Ｂ方向に移動させ、他方の取付片２１Ｂを、挿通孔２２Ｂをねじ２７によってガイドするようにして、矢印Ａ方向に移動させる。ねじ２７，２７を螺合させることにより、第１の支持板２を第２の支持板３に固定する。この場合、第１の支持板２と第２の支持板３の折曲部３２との間に間隔が発生するので、ストッパ部材４の舌片４２がカードリーダ５の凹部５４との係入を解除されることがある。したがって、ねじ４３，４３の螺合を緩め、ストッパ部材４を矢印Ａ方向に移動させ、舌片４２をカードリーダ５の凹部５４に挿入し、ねじ４３，４３を再び螺合させる。このように、操作者の使いやすいように、カードリーダ５の取付角度αを変えることができるから使い勝手が向上する。
【００２０】
次に、図５を用いて、固定部７の厚みｔが比較的小さく形成されている場合における第２の固定方法を説明する。
この第２の固定方法では、取付用ブラケット１を形成するために、第２の支持板３に第１の支持板２を取り付ける構造は、上述した第１の固定方法と何ら変わることはない。同図に示すように、この第２の固定方法では、固定部７の上面に取付用ブラケット１の第２の支持板３を対接させ、ねじ７１，７１を固定部７に貫通形成した挿通孔（図示せず）に挿通させ、第２の支持板３のねじ孔３３Ｂ，３３Ｂに螺合させることにより、取付用ブラケット１を固定部７に固定する。
【００２１】
次に、図６および図７を用いて、固定部６の正面部に取付用ブラケット１を固定する第３の固定方法を説明する。
図６に示すように、第２の支持板３を水平面内において約１８０°回動させ、第２の支持板３の折曲部３２を第１の支持板２から離間させ、ねじ孔３３Ｂ，３３Ｂが設けられた第２の支持板３の他端側を第１の支持板２に近接させる。
【００２２】
２本のねじ４３，４３をストッパ部材４の挿通孔４１，４１に挿通させ、ストッパ部材４が矢印Ａ−Ｂ方向に移動可能な程度に、ねじ４３，４３を第２の支持板３のねじ孔３５ｃ，３５ｂに一部を螺合させて仮締めする。次いで、第１の支持板２の取付片２１の挿通孔２２Ａ，２２Ｂに挿通したねじ２７，２７を、第２の支持板３のねじ孔３３Ｂ，３３Ｂに螺合させることにより、第１および第２の支持板２，３が一体化されて取付用ブラケット１が形成される。
【００２３】
このようにして形成された取付用ブラケット１の第２の支持板３の折曲部３２を、図７に示すように、固定部６の正面部に対接させ、ねじ６１，６１を折曲部３２の挿通孔３４Ａ，３４Ａから挿通させて固定部６にねじ込むことにより、取付用ブラケット１を固定部６の正面部に固定する。次いで、カードリーダ５を第１の支持板２に沿って下方に移動させることにより、カードリーダ５の凹部５４，５５に第１の支持板２のフック部２４，２５を係入させ、フック部２４，２５によってカードリーダ５を支承させる。
【００２４】
しかる後、ストッパ部材４を矢印Ａ方向に移動させ、カードリーダ５の凹部５４内に係入し、ねじ４３，４３を第２の支持板３のねじ孔３５ｂ，３５ｃにねじ込んで本締めすることにより、カードリーダ５は第１の支持部材２に上方への抜けが規制されて取り付けられる。
【００２５】
このように、１種類の取付用ブラケット１によって、第１ないし第３の３通りの固定方法に適用することができるから、多種類のブラケットの在庫管理が不要になるので、ブラケットの在庫管理の負担を軽減することができる。また、多種類のブラケットを製造する必要がないから、製造コストを低減することもできる。
【００２６】
なお、本実施の形態では、取付用ブラケット１によって固定部６，７に固定する電子機器をカードリーダ５としたが他の電子機器としてもよい。また、第２の支持板３の折曲部３２を基板３１に直角に折り曲げ形成したが、必ずしも直角に折り曲げ形成することはなく、固定部６，７の態様に対応させて所定の角度に折り曲げ形成すればよい。
【００２７】
【発明の効果】
以上説明したように、請求項１に係る発明によれば、ブラケットの在庫管理の負担が軽減されるというばかりでなく、製造コストを低減することができる。
【００２８】
また、請求項２に係る発明によれば、電子機器の取付角度を変えることができるから使い勝手が向上する。
【００２９】
また、請求項３に係る発明によれば、電子機器の取り外しが容易なので、保守点検の作業性が向上する。また、電子機器の向きを変えてもストッパ部材を移動させることにより、取付用ブラケットから電子機器の抜けを確実に規制することができる。
【図面の簡単な説明】
【図１】  本発明に係る取付用ブラケットを分解して示す斜視図である。
【図２】  本発明に係る取付用ブラケットを介して固定部に取り付けられるカードリーダの外観を示し、同図（ａ）は正面から視た斜視図、同図（ｂ）は背面から視た斜視図である。
【図３】  本発明に係る取付用ブラケットを固定部に第１の固定方法で取り付けた状態を示す斜視図である。
【図４】  本発明に係る取付用ブラケットを介してカードリーダを固定部に第１の固定方法で取り付けた状態を示す上面図であって、同図（ａ）はカードリーダを正面に向けた状態を示し、同図（ｂ）はカードリーダを正面から角度を付与して取り付けた状態を示す。
【図５】  本発明に係る取付用ブラケットを固定部に第２の固定方法で取り付けた状態を示す斜視図である。
【図６】  本発明に係る取付用ブラケットを固定部に第３の固定方法で取り付ける状態における取付用ブラケットを分解して示す斜視図である。
【図７】  本発明に係る取付用ブラケットを固定部に第３の固定方法で取り付けた状態を示す斜視図である。
【符号の説明】
１…取付用ブラケット、２…第１の支持板、３…第２の支持板、４…ストッパ部材、５…非接触型ＩＣカードリーダ、６，７…固定部、２１Ａ，２１Ｂ…折曲片、２２Ａ，２２Ｂ…挿通孔、２４，２５…フック部、２６…窓、３１…基板、３２…折曲部、３３Ａ，３３Ｂ…ねじ孔、３４Ａ，３４Ｂ…挿通孔、３５ａ，３５ｂ，３５ｃ…ねじ孔、４１…挿通孔、４２…舌片、５３…支承部、５４，５５…凹部。
【図１】
0004010182.tif 000002
【図２】
0004010182.tif 000003
【図３】
0004010182.tif 000004
【図４】
0004010182.tif 000005
【図５】
0004010182.tif 000006
【図６】
0004010182.tif 000007
【図７】
0004010182.tif 000008